(57)【要約】  空気調和装置の室内機は、室内熱交換器と送風機とを筐体の内部に備える空気調和装置の室内機であって、筐体から取り外し可能な冷媒検知部を備え、冷媒検知部は、筐体の内部に取り付けられる状態と、筐体の下方かつ外方に取り付けられる状態と、を選択自在に配置される。
2019030796.tif 000002
【特許請求の範囲】
【請求項１】
室内熱交換器と送風機とを筐体の内部に備える空気調和装置の室内機であって、
前記筐体から取り外し可能な冷媒検知部を備え、
前記冷媒検知部は、前記筐体の内部に取り付けられる状態と、前記筐体の下方かつ外方に取り付けられる状態と、を選択自在に配置される空気調和装置の室内機。
【請求項２】
前記筐体の内部にて前記室内熱交換器を配置する上部空間と、前記筐体の内部にて前記送風機を配置する下部空間と、を有し、
床置き状態と、壁掛け状態と、を選択自在に配置され、
前記冷媒検知部は、前記床置き状態のときに、前記筐体の前記下部空間内に取り付けられる状態と、前記壁掛け状態のときに、前記筐体の下方かつ外方に取り付けられる状態と、を選択自在に配置される請求項１に記載の空気調和装置の室内機。
【請求項３】
前記壁掛け状態に支持する壁掛け金具を備える請求項２に記載の空気調和装置の室内機。
【請求項４】
前記筐体に取り外し可能な複数の脚部を備え、
前記複数の脚部は、前記床置き状態のときに、前記筐体に取り付けられて前記筐体を下方から支持する状態と、前記壁掛け状態のときに、前記冷媒検知部を前記筐体の下方かつ外方に取り付ける状態と、を選択自在に配置される請求項２または３に記載の空気調和装置の室内機。
【請求項５】
前記筐体は、前記上部空間の上部にて開口する吹出開口部と、前記下部空間の下部にて開口する吸込開口部と、前記筐体の前記下部空間を覆うとともに前記筐体に取り外し可能な下部側壁部と、を有し、
前記床置き状態として、前記冷媒検知部が前記筐体の前記下部空間内に取り付けられ、前記複数の脚部が前記筐体に取り付けられて前記筐体を下方から支持し、前記吸込開口部から前記筐体の下方の空気が吸い込まれる第１形態と、
前記床置き状態として、前記冷媒検知部が前記筐体の前記下部空間内に取り付けられ、前記複数の脚部が前記筐体から取り外され、前記吸込開口部が床面に接地され、前記下部側壁部が前記筐体から取り外されて前記筐体の下部側方の空気が吸い込まれる第２形態と、
前記壁掛け状態として、前記冷媒検知部が前記複数の脚部のうちの１つの脚部によって前記筐体の下方かつ外方に取り付けられ、前記吸込開口部から前記筐体の下方の空気が吸い込まれる第３形態と、
を有し、
前記第１形態と前記第２形態と前記第３形態とを選択自在に構成される請求項４に記載の空気調和装置の室内機。
【請求項６】
前記冷媒検知部は、冷媒を検知するセンサと、前記センサの上側に隣接して配置されて前記センサからの検知情報を前記室内機の制御装置に送信する中継基板と、表面に開口部を有して前記センサを覆うセンサカバーと、前記センサカバーの上側の隣接部にて前記センサカバーよりも平面視にて大きく構成されて表面に開口部の無い状態で前記中継基板を覆う中継基板カバーと、を有する請求項１〜５のいずれか１項に記載の空気調和装置の室内機。
【請求項７】
請求項１〜６のいずれか１項に記載の空気調和装置の室内機を備える空気調和装置。
【請求項８】
室内機が床置き状態として、冷媒検知部が筐体の下部空間内に取り付けられ、複数の脚部が前記筐体に取り付けられて前記筐体を下方から支持し、前記筐体の下面に設けられる吸込開口部から前記筐体の下方の空気が吸い込まれる第１形態と、
前記室内機が前記床置き状態として、前記冷媒検知部が前記筐体の前記下部空間内に取り付けられ、前記複数の脚部が前記筐体から取り外され、前記吸込開口部が床面に接地され、下部側壁部が前記筐体から取り外されて前記筐体の下部側方の空気が吸い込まれる第２形態と、
前記室内機が壁掛け状態として、前記冷媒検知部が前記複数の脚部のうちの１つの脚部によって前記筐体の下方かつ外方に取り付けられ、前記吸込開口部から前記筐体の下方の空気が吸い込まれる第３形態と、
を有し、
前記第１形態と前記第２形態と前記第３形態とを選択自在に設置される空気調和装置の室内機の設置方法。
【発明の詳細な説明】
【技術分野】
【０００１】
本発明は、微燃性冷媒の漏洩を検知する冷媒検知部を備える空気調和装置の室内機、空気調和装置および空気調和装置の室内機の設置方法に関する。
【背景技術】
【０００２】
微燃性冷媒を使用する空気調和装置では、微燃性冷媒の漏洩が発生した場合に室内冷媒濃度が規定濃度を超える場合が多い。このため、微燃性冷媒の漏洩時に冷媒の漏洩を検知しなければならない（たとえば、特許文献１参照）。
【先行技術文献】
【特許文献】
【０００３】
【特許文献１】国際公開第２０１６／００９６６７号
【発明の概要】
【発明が解決しようとする課題】
【０００４】
微燃性冷媒の漏洩を検知するためには、床置き型の空気調和装置の室内機に冷媒検知部を設置する必要がある。しかし、この室内機が壁掛け型などとして高い位置に設置された場合には、冷媒検知部が室内機の内部の下部に設置されていても、空気より重い微燃性冷媒が留まり易い床面との距離が離れ、漏洩した冷媒が検知できない課題がある。【０００５】
本発明は、空気調和装置の室内機が床面から離れた高い位置に設置されても、冷媒検知部が漏洩した冷媒を検知できる空気調和装置の室内機、空気調和装置および空気調和装置の室内機の設置方法を提供することを目的とする。
【課題を解決するための手段】
【０００６】
本発明に係る空気調和装置の室内機は、室内熱交換器と送風機とを筐体の内部に備える空気調和装置の室内機であって、前記筐体から取り外し可能な冷媒検知部を備え、前記冷媒検知部は、前記筐体の内部に取り付けられる状態と、前記筐体の下方かつ外方に取り付けられる状態と、を選択自在に配置されるものである。【０００７】
本発明に係る空気調和装置は、上記の空気調和装置の室内機を備えるものである。【０００８】
本発明に係る空気調和装置の室内機の設置方法は、室内機が床置き状態として、冷媒検知部が筐体の下部空間内に取り付けられ、複数の脚部が前記筐体に取り付けられて前記筐体を下方から支持し、前記筐体の下面に設けられる吸込開口部から前記筐体の下方の空気が吸い込まれる第１形態と、前記室内機が前記床置き状態として、前記冷媒検知部が前記筐体の前記下部空間内に取り付けられ、前記複数の脚部が前記筐体から取り外され、前記吸込開口部が床面に接地され、下部側壁部が前記筐体から取り外されて前記筐体の下部側方の空気が吸い込まれる第２形態と、前記室内機が壁掛け状態として、前記冷媒検知部が前記複数の脚部のうちの１つの脚部によって前記筐体の下方かつ外方に取り付けられ、前記吸込開口部から前記筐体の下方の空気が吸い込まれる第３形態と、を有し、前記第１形態と前記第２形態と前記第３形態とを選択自在に設置されるものである。
【発明の効果】
【０００９】
本発明に係る空気調和装置の室内機、空気調和装置および空気調和装置の室内機の設置方法によれば、冷媒検知部は、筐体の内部に取り付けられる状態と、筐体の下方かつ外方に取り付けられる状態と、を選択自在に配置される。このため、空気調和装置の室内機が床面から離れた高い位置に設置されても、冷媒検知部は、筐体の下方かつ外方に取り付けられる状態に変更され、漏洩した冷媒濃度が高くなる床面付近に近づけて配置できる。したがって、空気調和装置の室内機が床面から離れた高い位置に設置されても、冷媒検知部が漏洩した冷媒を検知できる。
【図面の簡単な説明】
【００１０】
【図１】本発明の実施の形態１に係る空気調和装置を示す概略構成図である。
【図２】本発明の実施の形態１に係る空気調和装置の室内機における第１形態での外観を示す斜視図である。
【図３】本発明の実施の形態１に係る空気調和装置の室内機における内部を示す斜視図である。
【図４】本発明の実施の形態１に係る空気調和装置の室内機における内部を機械室の通る前後縦断面で示す断面図である。
【図５】本発明の実施の形態１に係る空気調和装置の室内機における内部を熱交換器室の通る前後縦断面で示す断面図である。
【図６】本発明の実施の形態１に係る空気調和装置の室内機における内部を左右縦断面で示す断面図である。
【図７】本発明の実施の形態１に係る冷媒検知部における外観を示す斜視図である。
【図８】本発明の実施の形態１に係る冷媒検知部における内部を示す斜視図である。
【図９】本発明の実施の形態１に係る空気調和装置の室内機における第２形態での外観を示す正面図である。
【図１０】本発明の実施の形態１に係る空気調和装置の室内機における第３形態での外観を示す正面図である。
【発明を実施するための形態】
【００１１】
以下、図面に基づいて本発明の実施の形態について説明する。なお、各図において、同一の符号を付したものは、同一のまたはこれに相当するものであり、これは明細書の全文において共通している。さらに、明細書全文に示す構成要素の形態は、あくまで例示であってこれらの記載に限定されるものではない。
【００１２】
実施の形態１．
＜空気調和装置１００の構成＞
図１は、本発明の実施の形態１に係る空気調和装置１００を示す概略構成図である。図１に示すように、空気調和装置１００は、室外機８と室内機１０とを配管によって接続されて構成される。
【００１３】
室外機８と室内機１０とを接続する配管内には、熱の授受を行うための冷媒が充填される。冷媒は、室外機８と室内機１０との間を循環することにより、室内機１０の配置される室内空間に対して冷房または暖房を実施できる。冷媒の種類としては、空気より重い微燃性冷媒などが例示できる。
【００１４】
室外機８は、圧縮機１と、室外熱交換器３と、膨張弁４と、四方弁２と、室外送風ファン６と、を備える。室内機１０は、室内熱交換器５と、室内用の送風機であるシロッコファン７と、を備える。
【００１５】
＜空気調和装置１００の室内機１０の構成＞
図２は、本発明の実施の形態１に係る空気調和装置１００の室内機１０における第１形態での外観を示す斜視図である。図３は、本発明の実施の形態１に係る空気調和装置１００の室内機１０における内部を示す斜視図である。図４は、本発明の実施の形態１に係る空気調和装置１００の室内機１０における内部を機械室２０の通る前後縦断面で示す断面図である。図５は、本発明の実施の形態１に係る空気調和装置１００の室内機１０における内部を熱交換器室２４の通る前後縦断面で示す断面図である。図６は、本発明の実施の形態１に係る空気調和装置１００の室内機１０における内部を左右縦断面で示す断面図である。
【００１６】
図２〜図６に示すように、空気調和装置１００の室内機１０は、室内の床面に接地されて取り付けられる床置き型室内機である。また、室内機１０は、後述のように床置き状態だけでなく、壁掛け状態で用いることもできる。後述にて、室内機１０の設置状態を第１形態、第２形態および第３形態と称してそれぞれ説明する。
【００１７】
図２に示すように、室内機１０は、横長の直方体形状の筐体１１を備える。筐体１１の左右側面の下部には、１対の脚部１２ａ、１２ｂを備える。１対の脚部１２ａ、１２ｂは、筐体１１に取り外し可能である。図２では、１対の脚部１２ａ、１２ｂは、室内機１０が床置き状態であり、筐体１１に螺子止めされて取り付けられ、筐体１１を下方から支持する状態である。１対の脚部１２ａ、１２ｂに支持された筐体１１は、筐体１１の下面と床面との間に隙間を確保する。なお、１対の脚部１２ａ、１２ｂは、３つ以上の脚部であっても良い。
【００１８】
図２に示す筐体１１を構成する側壁部のうち前方側の下部側壁部１３は、筐体１１の下部空間１５を覆うとともに筐体１１に対して取り外し可能である。
【００１９】
図３〜図６に示すように、室内機１０は、室内熱交換器５と、シロッコファン７と、を筐体１１の内部に備える。室内機１０は、筐体１１の内部にて室内熱交換器５を配置する上部空間１４を有する。室内機１０は、筐体１１の内部にてシロッコファン７を配置する下部空間１５を有する。上部空間１４と下部空間１５とは、ファンプレート１６によって仕切られる。
【００２０】
図３に示すように、室内機１０には、筐体１１の天面に、吹出開口部１７が設けられる。吹出開口部１７は、筐体１１の上部空間１４の上部にて開口する。室内機１０には、筐体１１の下面に、吸込開口部１８が設けられる。吸込開口部１８は、筐体１１の下部空間１５の下部にて開口する。
【００２１】
室内機１０は、室内機１０を壁掛け状態に支持する壁掛け金具１９を備える。壁掛け金具１９は、筐体１１に螺子止めされる。壁掛け金具１９は、図２のような室内機１０を床置き状態する場合には、取り外されても良い。
【００２２】
図４に示すように、室内機１０の筐体１１の上部空間１４内右側には、室内熱交換器５に室外機８との間で冷媒を流通させる配管群をまとめた機械室２０が設けられる。機械室２０は、室内熱交換器５の配置された上部空間１４と２つの仕切り板２１ａ、２１ｂによって仕切られる。機械室２０には、ファンプレート１６の上側に凝縮水などが滴下したドレン水を受けるドレンパン２２が配置される。
【００２３】
室内機１０の筐体１１の下部空間１５内右側には、制御装置２３が設けられる。制御装置２３は、各種の電気部品が内蔵される制御箱で囲まれ、シロッコファン７の回転数などを制御する。
【００２４】
室内機１０の筐体１１の内部右側には、下部空間１５内の制御装置２３よりも下方に、冷媒検知部３０が設けられる。冷媒検知部３０は、筐体１１などに対して取り外し可能である。
【００２５】
図５に示すように、室内機１０の筐体１１の内部における中央から左側には、上部空間１４内に室内熱交換器５を配置した熱交換器室２４が設けられる。熱交換器室２４には、室内熱交換器５と、ドレンパン２５と、が配置される。室内熱交換器５は、下部を室内機１０の前側に出して上部を室内機１０の後側に傾けて配置される。室内熱交換器５は、下部をドレンパン２５に固定され、上部を係止部材２６に係止される。
【００２６】
室内機１０の上部空間１４内に熱交換器室２４が設けられた部分の下部空間１５には、シロッコファン７が配置される。シロッコファン７は、吹出口７ａをファンプレート１６の開口から突き出し、下部空間１５内から吸い込んだ空気を上部空間１４に吹き出す。
【００２７】
図６に示すように、シロッコファン７は、筐体１１の左右方向に４つ並列して配置される。熱交換器室２４のドレンパン２５は、機械室２０のドレンパン２２よりも上部に配置される。熱交換器室２４のドレンパン２５に溜まったドレン水が機械室２０のドレンパン２２に流れ、機械室２０のドレンパン２２に設けられる図示しない排水部からドレン水が排出される。なおここでは、シロッコファン７の数は、４つを例示する。しかし、シロッコファン７の数は、限定されない。たとえば、シロッコファン７の数は、２つあるいは３つでも良い。
【００２８】
＜冷媒検知部３０の構成＞
図７は、本発明の実施の形態１に係る冷媒検知部３０における外観を示す斜視図である。図８は、本発明の実施の形態１に係る冷媒検知部３０における内部を示す斜視図である。
【００２９】
図７、図８に示すように、冷媒検知部３０は、センサ３１と、中継基板３２と、センサカバー３３と、中継基板カバー３４と、取付部材３５と、を有する。
【００３０】
センサ３１は、室内に漏洩した冷媒を検知する。中継基板３２は、センサ３１の上側に隣接して配置され、センサ３１からの検知情報を室内機１０の制御装置２３に送信する。センサカバー３３は、前面および下面の表面に開口部である複数のスリット３６を有し、センサ３１を覆う。漏洩した冷媒は、複数のスリット３６を介してセンサ３１に到達する。中継基板カバー３４は、センサカバー３３の上側の隣接部にてセンサカバー３３よりも大きく構成され、表面に開口部の無い完全に密閉する状態で中継基板３２を覆う。中継基板カバー３４がセンサカバー３３よりも平面視にて大きいことにより、冷媒検知部３０に滴下する凝縮水などは、複数のスリット３６に浸入せず、中継基板カバー３４によって受け止められる。取付部材３５は、センサ３１と中継基板３２とセンサカバー３３と中継基板カバー３４とを保持する。取付部材３５は、冷媒検知部３０を筐体１１に螺子止めによって固定する状態と、冷媒検知部３０を１つの脚部１２ａに螺子止めによって固定する状態と、のいずれかの状態で固定される。
【００３１】
冷媒検知部３０は、筐体１１から取り外し可能である。このため、室内機１０が壁掛け状態となる場合には、冷媒検知部３０は、１つの脚部１２ａに螺子止めされて固定され、室内機１０の筐体１１の下方かつ下方かつ外方に配置される場合がある。
【００３２】
なお、冷媒検知部３０は、室内機１０とは分離して、室内の壁面に設置しても良い。冷媒検知部３０と室内機１０とは、図示しない中継配線を這いまわして接続できる距離で離間しても良い。
【００３３】
また、実施の形態１では、冷媒検知部３０は、筐体１１の下部空間１５におけるシロッコファン７の隣の側壁部に固定される。しかし、冷媒検知部３０が筐体１１内で配置される箇所は、これに限られず、様々な位置で固定しても良い。
【００３４】
また、実施の形態１と異なり、冷媒検知部３０の構成は、これに限られず、様々な構成であっても良い。
【００３５】
また、冷媒検知部３０は、配線あるいは無線によって、室内機１０から離れた位置に配置されても良い。
【００３６】
また、冷媒検知部３０は、１つの脚部１２ａに取り付けられる構成を採用している。しかし、これに限られず、それに類する冷媒検知部３０を固定可能な部材を用いて室内機１０の下方かつ外方に取り付けても良い。
【００３７】
＜第１形態＞
次に、第１形態について説明する。図２に示す室内機１０は、第１形態である。第１形態は、室内機１０が床置き状態の１つの形態である。第１形態では、冷媒検知部３０は、室内機１０における筐体１１の下部空間１５内に取り付けられる。第１形態では、１対の脚部１２ａ、１２ｂは、筐体１１に取り付けられ、筐体１１を下方から支持する。第１形態では、筐体１１の下面に設けられる吸込開口部１８から筐体１１の下方の空気が吸い込まれる。
【００３８】
１対の脚部１２ａ、１２ｂは、室内機１０が床置き状態のときに、筐体１１に取り付けられて筐体１１を下方から支持する状態である。壁掛け金具１９は、筐体１１から取り外される。下部側壁部１３は、筐体１１の下部空間１５を覆う。
【００３９】
＜第１形態の動作＞
第１形態では、床面と筐体１１の下面との間に形成された隙間における筐体１１の下方の空気は、図２に示す図示矢印Ａのように、筐体１１の下面に設けられる吸込開口部１８から下部空間１５に吸い込まれる。そして、下部空間１５に吸い込まれた空気は、シロッコファン７によって上部空間１４に押し出される。上部空間１４に押し出された空気は、室内熱交換器５を通過する。室内熱交換器５を通過する空気は、室内熱交換器５を流通する冷媒と熱交換し、冷房または暖房用の調和空気となる。上部空間１４の調和空気は、図２に示す図示矢印Ｂのように、筐体１１の天面に設けられる吹出開口部１７から室内に吹き出される。
【００４０】
＜第２形態＞
次に、第２形態について説明する。図９は、本発明の実施の形態１に係る空気調和装置１００の室内機１０における第２形態での外観を示す正面図である。
【００４１】
図９に示す室内機１０は、第２形態である。第２形態は、室内機１０が床置き状態である１つの形態である。第２形態では、冷媒検知部３０は、筐体１１の下部空間１５内に取り付けられる。第２形態では、１対の脚部１２ａ、１２ｂは、筐体１１から取り外される。第２形態では、吸込開口部１８が床面に接地される。第２形態では、下部側壁部１３は、筐体１１から取り外される。下部側壁部１３が取り外された前面開口部２７は、筐体１１の下部側方の空気を吸い込む吸込口である。
【００４２】
なお、壁掛け金具１９は、筐体１１から取り外されても良い。
【００４３】
＜第２形態の動作＞
第２形態では、筐体１１の前方の空気は、図９に示す図示矢印Ａのように、下部側壁部１３が取り外された前面開口部２７から下部空間１５に吸い込まれる。そして、下部空間１５に吸い込まれた空気は、シロッコファン７によって上部空間１４に押し出される。上部空間１４に押し出された空気は、室内熱交換器５を通過する。室内熱交換器５を通過する空気は、室内熱交換器５を流通する冷媒と熱交換し、冷房または暖房用の調和空気となる。上部空間１４の調和空気は、図９に示す図示矢印Ｂのように、筐体１１の天面に設けられる吹出開口部１７から室内に吹き出される。
【００４４】
このように、室内機１０は、下部側壁部１３をフィルタと入れ替えることにより、下吸込みから前吸込みの形態に切り替えられる。このとき、冷媒検知部３０は、筐体１１の内部の下部空間１５、かつ、冷媒漏洩を検出しやすい床面に近い位置に設置できる。
【００４５】
＜第３形態＞
次に、第３形態について説明する。図１０は、本発明の実施の形態１に係る空気調和装置１００の室内機１０における第３形態での外観を示す正面図である。
【００４６】
図１０に示す室内機１０は、第３形態である。第３形態は、室内機１０が壁掛け状態である。第３形態では、冷媒検知部３０は、１対の脚部１２ａ、１２ｂのうちの１つの脚部１２ａによって筐体１１の下方かつ外方に取り付けられる。第３形態では、吸込開口部１８から筐体１１の下方の空気が吸い込まれる。
【００４７】
１対の脚部１２ａ、１２ｂは、室内機１０が壁掛け状態の第３形態においては、一方の１つの脚部１２ａが冷媒検知部３０を筐体１１の下方かつ外方に取り付け、他方の１つの脚部１２ｂが筐体１１から取り外される。壁掛け金具１９は、室内機１０を壁に固定した壁掛け状態に支持する。
【００４８】
＜第３形態の動作＞
第３形態では、筐体１１の下方の空気は、図１０に示す図示矢印Ａのように、筐体１１の下面に設けられる吸込開口部１８から下部空間１５に吸い込まれる。そして、下部空間１５に吸い込まれた空気は、シロッコファン７によって上部空間１４に押し出される。上部空間１４に押し出された空気は、室内熱交換器５を通過する。室内熱交換器５を通過する空気は、室内熱交換器５を流通する冷媒と熱交換し、冷房または暖房用の調和空気となる。上部空間１４の調和空気は、図１０に示す図示矢印Ｂのように、筐体１１の天面に設けられる吹出開口部１７から室内に吹き出される。
【００４９】
以上のように、空気調和装置１００の室内機１０は、室内機１０が第１形態と第２形態と第３形態とを選択自在に配置される。そして、室内機１０がこれらの形態に変更されても、冷媒検知部３０が取り外し可能であるので、冷媒検知部３０が筐体１１の下方かつ外方に取り付けられる場合がある。したがって、冷媒検知部３０が床面に近い位置に設置でき、漏洩した冷媒を検知する検知性能が向上できる。
【００５０】
＜実施の形態１の効果＞
実施の形態１によれば、空気調和装置１００の室内機１０は、室内熱交換器５と送風機としてのシロッコファン７とを筐体１１の内部に備える。空気調和装置１００の室内機１０は、取り外し可能な冷媒検知部３０を備える。冷媒検知部３０は、筐体１１の内部に取り付けられる状態と、筐体１１の下方かつ外方に取り付けられる状態と、を選択自在に配置される。
【００５１】
この構成によれば、空気調和装置１００の室内機１０が床面から離れた高い位置に設置されても、冷媒検知部３０は、筐体１１の下方かつ外方に取り付けられる状態に変更され、冷媒濃度が高くなる床面付近に近づけて配置できる。したがって、空気調和装置１００の室内機１０が床面から離れた高い位置に設置されても、冷媒検知部３０が漏洩した冷媒を検知できる。
【００５２】
実施の形態１によれば、室内機１０は、筐体１１の内部にて室内熱交換器５を配置する上部空間１４と、筐体１１の内部にて送風機としてのシロッコファン７を配置する下部空間１５と、を有する。室内機１０は、床置き状態と、壁掛け状態と、を選択自在に配置される。冷媒検知部３０は、室内機１０が床置き状態のときに、筐体１１の下部空間１５に取り付けられる状態と、室内機１０が壁掛け状態のときに、筐体１１の下方かつ外方に取り付けられる状態と、を選択自在に配置される。
【００５３】
この構成によれば、空気調和装置１００の室内機１０が床面から離れた高い位置に設置される壁掛け状態で配置されても、冷媒検知部３０は、筐体１１の下方かつ外方に取り付けられる状態に変更され、冷媒濃度が高くなる床面付近に近づけて配置できる。したがって、空気調和装置１００の室内機１０が壁掛け状態となって床面から離れた高い位置に設置されても、冷媒検知部３０が漏洩した冷媒を検知できる。
【００５４】
実施の形態１によれば、室内機１０は、壁掛け状態に支持する壁掛け金具１９を備える。
【００５５】
この構成によれば、空気調和装置１００の室内機１０は、床置き型であっても、壁掛け金具１９によって壁掛け状態で設置できる。
【００５６】
実施の形態１によれば、筐体１１に取り外し可能な１対の脚部１２ａ、１２ｂを備える。１対の脚部１２ａ、１２ｂは、室内機１０が床置き状態のときに、筐体１１に取り付けられて筐体１１を下方から支持する状態と、室内機１０が壁掛け状態のときに、冷媒検知部３０を筐体１１の下方かつ外方に取り付ける状態と、を選択自在に配置される。
【００５７】
この構成によれば、空気調和装置１００の室内機１０が床面から離れた高い位置に設置される壁掛け状態で配置されても、冷媒検知部３０は、いずれかの脚部１２ａ、１２ｂによって筐体１１の下方かつ外方に取り付けられる状態に変更され、冷媒濃度が高くなる床面付近に近づけて配置できる。したがって、空気調和装置１００の室内機１０が壁掛け状態となって床面から離れた高い位置に設置されても、冷媒検知部３０が漏洩した冷媒を検知できる。
【００５８】
またこの構成によれば、空気調和装置１００の室内機１０が床置き状態で床面に設置されるときに、１対の脚部１２ａ、１２ｂによって筐体１１の下面に形成される吸込開口部１８に下方から空気を吸い込める隙間を確保できる。そして、１対の脚部１２ａ、１２ｂは、空気調和装置１００の室内機１０が壁掛け状態で配置されるときに、冷媒検知部３０がいずれかの脚部１２ａ、１２ｂに取り付けられ、冷媒検知部３０がいずれかの脚部１２ａ、１２ｂによって筐体１１の下方かつ外方に取り付けられる状態に変更される。このように、１対の脚部１２ａ、１２ｂは、空気調和装置１００の室内機１０が床置き状態のときと、壁掛け状態のときとの両方で有効利用される。
【００５９】
実施の形態１によれば、筐体１１は、上部空間１４の上部にて開口する吹出開口部１７を有する。筐体１１は、下部空間１５の下部にて開口する吸込開口部１８を有する。筐体１１は、筐体１１の下部空間１５を覆うとともに筐体１１に取り外し可能な下部側壁部１３を有する。室内機１０は、床置き状態として、冷媒検知部３０が筐体１１の下部空間１５内に取り付けられ、１対の脚部１２ａ、１２ｂが筐体１１に取り付けられて筐体１１を下方から支持し、吸込開口部１８から筐体１１の下方の空気が吸い込まれる第１形態を有する。室内機１０は、床置き状態として、冷媒検知部３０が筐体１１の下部空間１５内に取り付けられ、１対の脚部１２ａ、１２ｂが筐体１１から取り外され、吸込開口部１８が床面に接地され、下部側壁部１３が筐体１１から取り外されて筐体１１の下部側方の空気が吸い込まれる第２形態を有する。室内機１０は、壁掛け状態として、冷媒検知部３０が１対の脚部１２ａ、１２ｂのうちの１つの脚部１２ａによって筐体１１の下方かつ外方に取り付けられ、吸込開口部１８から筐体１１の下方の空気が吸い込まれる第３形態を有する。室内機１０は、第１形態と第２形態と第３形態とを選択自在に配置される。
【００６０】
この構成によれば、空気調和装置１００の室内機１０が第１形態および第２形態の床置き状態とは異なって床面から離れた高い位置に設置される第３形態である壁掛け状態で配置される。この第３形態のときに、冷媒検知部３０は、１つの脚部１２ａによって筐体１１の下方かつ外方に取り付けられる状態に変更され、冷媒濃度が高くなる床面付近に近づけて配置できる。したがって、空気調和装置１００の室内機１０が壁掛け状態となって床面から離れた高い位置に設置されても、冷媒検知部３０が漏洩した冷媒を検知できる。
【００６１】
実施の形態１によれば、冷媒検知部３０は、冷媒を検知するセンサ３１を有する。冷媒検知部３０は、センサ３１の上側に隣接して配置されてセンサ３１からの検知情報を室内機１０の制御装置２３に送信する中継基板３２を有する。冷媒検知部３０は、表面に開口部としての複数のスリット３６を有してセンサ３１を覆うセンサカバー３３を有する。冷媒検知部３０は、センサカバー３３の上側の隣接部にてセンサカバー３３よりも平面視にて大きく構成されて表面に開口部の無い状態で中継基板３２を覆う中継基板カバー３４を有する。
【００６２】
この構成によれば、冷媒検知部３０のセンサ３１は、センサカバー３３に開いた複数のスリット３６から漏洩した冷媒を検知できる。また、センサカバー３３に開いた複数のスリット３６は、センサカバー３３の上側の隣接部にてセンサカバー３３よりも平面視にて大きく構成される中継基板カバー３４によって上方からの凝縮水などの液体の浸入を防止される。これにより、冷媒検知部３０のセンサ３１は、冷媒検知部３０よりも上方から液体が浸入しないことにより、液体に濡れて故障することが防止できる。
【００６３】
実施の形態１によれば、空気調和装置１００は、空気調和装置１００の室内機１０を備える。
【００６４】
この構成によれば、空気調和装置１００の室内機１０が床面から離れた高い位置に設置されても、冷媒検知部３０は、筐体１１の下方かつ外方に取り付けられる状態に変更され、冷媒濃度が高くなる床面付近に近づけて配置できる。したがって、空気調和装置１００の室内機１０が床面から離れた高い位置に設置されても、冷媒検知部３０が漏洩した冷媒を検知できる。
【００６５】
実施の形態１によれば、空気調和装置１００の室内機１０の設置方法は、室内機１０が床置き状態として、冷媒検知部３０が筐体１１の下部空間１５内に取り付けられ、１対の脚部１２ａ、１２ｂが筐体１１に取り付けられて筐体１１を下方から支持し、筐体１１の下面に設けられる吸込開口部１８から筐体１１の下方の空気が吸い込まれる第１形態を有する。空気調和装置１００の室内機１０の設置方法は、室内機１０が床置き状態として、冷媒検知部３０が筐体１１の下部空間１５内に取り付けられ、１対の脚部１２ａ、１２ｂが筐体１１から取り外され、吸込開口部１８が床面に接地され、下部側壁部１３が筐体１１から取り外されて筐体１１の下部側方の空気が吸い込まれる第２形態を有する。空気調和装置１００の室内機１０の設置方法は、室内機１０が壁掛け状態として、冷媒検知部３０が１対の脚部１２ａ、１２ｂのうちの１つの脚部１２ａによって筐体１１の下方かつ外方に取り付けられ、吸込開口部１８から筐体１１の下方の空気が吸い込まれる第３形態を有する。空気調和装置１００の室内機１０の設置方法は、室内機１０が第１形態と第２形態と第３形態とを選択自在に設置される。
【００６６】
この構成によれば、空気調和装置１００の室内機１０が第１形態および第２形態の床置き状態とは異なって床面から離れた高い位置に設置される第３形態である壁掛け状態で配置される。この第３形態のときに、冷媒検知部３０は、１つの脚部１２ａによって筐体１１の下方かつ外方に取り付けられる状態に変更され、冷媒濃度が高くなる床面付近に近づけて配置できる。したがって、空気調和装置１００の室内機１０が壁掛け状態となって床面から離れた高い位置に設置されても、冷媒検知部３０が漏洩した冷媒を検知できる。
【符号の説明】
【００６７】
１  圧縮機、２  四方弁、３  室外熱交換器、４  膨張弁、５  室内熱交換器、６  室外送風ファン、７  シロッコファン、７ａ  吹出口、８  室外機、１０  室内機、１１  筐体、１２ａ  脚部、１２ｂ  脚部、１３  下部側壁部、１４  上部空間、１５  下部空間、１６  ファンプレート、１７  吹出開口部、１８  吸込開口部、１９  壁掛け金具、２０  機械室、２１ａ  仕切り板、２１ｂ  仕切り板、２２  ドレンパン、２３  制御装置、２４  熱交換器室、２５  ドレンパン、２６  係止部材、２７  前面開口部、３０  冷媒検知部、３１  センサ、３２  中継基板、３３  センサカバー、３４  中継基板カバー、３５  取付部材、３６  スリット、１００  空気調和装置。
【図１】
2019030796.tif 000003
【図２】
2019030796.tif 000004
【図３】
2019030796.tif 000005
【図４】
2019030796.tif 000006
【図５】
2019030796.tif 000007
【図６】
2019030796.tif 000008
【図７】
2019030796.tif 000009
【図８】
2019030796.tif 000010
【図９】
2019030796.tif 000011
【図１０】
2019030796.tif 000012
【国際調査報告】
2019030796.tif 000013
2019030796.tif 000014